(57)【要約】      （修正有）【課題】手袋着用時にも素手の時と同じセンシングができる表示制御システムを提供する。【解決手段】タッチパネルを有する多機能携帯電話機のＣＰＵ２２は、モード判定部４３、タッチ位置判定部４２を備える。モード判定部４３は、静電容量タッチセンサの各電極のいずれかが、通常モード閾値を超えているか否かを判定することで、ユーザの操作モードを、素手で操作を行う通常モードか、手袋で操作を行う手袋モードかに切り替える。タッチ位置判定部４２は、ユーザの操作モードが通常モードである場合、各電極のオン／オフ状況からタッチ位置を計算する。ユーザの操作モードが手袋モードである場合、各電極の感度粒度を０乃至２５５に変換した値を用いて、タッチ位置を計算する。【選択図】図３
2017146904.tif 000002
【特許請求の範囲】
【請求項１】
指でタッチされた場合に反応する電極の数に基づいて手袋での操作であるか素手での操作であるかを判定する操作判定部と、
前記操作判定部により手袋での操作であると判定された場合、所定の粒度に変換された１電極の感度に基づいてタッチ位置を検出するタッチ位置検出部と
を備える表示制御システム。
【請求項２】
前記所定の粒度は、０乃至２５５の粒度である
請求項１に記載の表示制御システム。
【請求項３】
前記タッチ位置検出部は、所定の粒度に変換された１電極の感度の二次曲線の計算により、前記タッチ位置を検出する
請求項２に記載の表示制御システム。
【請求項４】
前記操作判定部は、第１の閾値を超えている電極があるか否かに基づいて手袋での操作であるか素手での操作であるかを判定する
請求項２に記載の表示制御システム。
【請求項５】
前記第１の閾値を超えている電極があり、前記操作判定部により素手での操作であると判定された場合、前記タッチ位置検出部は、前記第１の閾値を超えている電極の数に基づいてタッチ位置を検出する
請求項４に記載の表示制御システム。
【請求項６】
前記第１の閾値を超えている電極がなかった場合、前記操作判定部は、前記第１の閾値よりも小さい値である第２の閾値を超えている電極の数が、指で触れるときに反応する電極の数よりも多いとき、手袋での操作であることを示す手袋モードに操作モードを切り替える
請求項４に記載の表示制御システム。
【請求項７】
前記第１の閾値を超えている電極があった場合、前記操作判定部は、素手での操作であることを示す素手モードに操作モードを切り替える
請求項４に記載の表示制御システム。
【請求項８】
表示制御システムが、
指でタッチされた場合に反応する電極の数に基づいて手袋での操作であるか素手での操作であるかを判定し、
前記手袋での操作であると判定された場合、所定の粒度に変換された１電極の感度に基づいてタッチ位置を検出する
操作方法。
【発明の詳細な説明】
【技術分野】
【０００１】
本開示は、表示制御システムおよび操作方法に関し、特に、手袋着用時にも素手の時と同じセンシングができるようにした表示制御システムおよび操作方法に関する。
【背景技術】
【０００２】
静電容量式タッチセンサは、手袋などを着用してタッチすると指先のときと異なり、反応が悪くなってタッチされたことに気づきにくくなってしまう。したがって、静電容量式タッチセンサにおいては、感度を上げるモードを備えて、手袋でも反応可能にしている（例えば、特許文献１参照）。
【先行技術文献】
【特許文献】
【０００３】
【特許文献１】特開２００８−０３３７０１号公報
【発明の概要】
【発明が解決しようとする課題】
【０００４】
しかしながら、感度を上げて素手の指より太い手袋による操作のため、きめ細かいセンシングが困難になってしまい、意図通りの操作ができなくなってしまう場合が増えてしまう。
【０００５】
本開示は、このような状況に鑑みてなされたものであり、手袋着用時にも素手の時と同じセンシングができるものである。
【課題を解決するための手段】
【０００６】
本技術の一側面の表示制御システムは、指でタッチされた場合に反応する電極の数に基づいて手袋での操作であるか素手での操作であるかを判定する操作判定部と、前記操作判定部により手袋での操作であると判定された場合、所定の粒度に変換された１電極の感度に基づいてタッチ位置を検出するタッチ位置検出部とを備える。
【０００７】
前記所定の粒度は、０乃至２５５の粒度である。
【０００８】
前記タッチ位置検出部は、所定の粒度に変換された１電極の感度の二次曲線の計算により、前記タッチ位置を検出することができる。
【０００９】
前記操作判定部は、第１の閾値を超えている電極があるか否かに基づいて手袋での操作であるか素手での操作であるかを判定することができる。
【００１０】
前記第１の閾値を超えている電極があり、前記操作判定部により素手での操作であると判定された場合、前記タッチ位置検出部は、前記第１の閾値を超えている電極の数に基づいてタッチ位置を検出することができる。
【００１１】
前記第１の閾値を超えている電極がなかった場合、前記操作判定部は、前記第１の閾値よりも小さい値である第２の閾値を超えている電極の数が、指で触れるときに反応する電極の数よりも多いとき、手袋での操作であることを示す手袋モードに操作モードを切り替えることができる。
【００１２】
前記第１の閾値を超えている電極があった場合、前記操作判定部は、素手での操作であることを示す素手モードに操作モードを切り替えることができる。
【００１３】
本技術の一側面の操作方法は、表示制御システムが、指でタッチされた場合に反応する電極の数に基づいて手袋での操作であるか素手での操作であるかを判定し、前記手袋での操作であると判定された場合、所定の粒度に変換された１電極の感度に基づいてタッチ位置を検出する。
【００１４】
本技術の一側面においては、指でタッチされた場合に反応する電極の数に基づいて手袋での操作であるか素手での操作であるかが判定される。そして、前記手袋での操作であると判定された場合、所定の粒度に変換された１電極の感度に基づいてタッチ位置が検出される。
【発明の効果】
【００１５】
本技術によれば、手袋着用時にも素手の時と同じセンシングができる。
【００１６】
なお、本明細書に記載された効果は、あくまで例示であり、本技術の効果は、本明細書に記載された効果に限定されるものではなく、付加的な効果があってもよい。
【図面の簡単な説明】
【００１７】
【図１】本技術を適用した多機能携帯電話機の外観の構成例を示す図である。
【図２】図１の多機能携帯電話機の内部の構成例を示すブロック図である。
【図３】図１の多機能携帯電話機の機能ブロック図である。
【図４】操作モードが通常モードの場合について説明する図である。
【図５】操作モードが手袋モードの場合について説明するである。
【図６】、多機能携帯電話機１の操作モード切り替え処理について説明するフローチャートである。
【図７】パーソナルコンピュータの構成例を示すブロック図である。
【発明を実施するための形態】
【００１８】
以下、本開示を実施するための形態（以下実施の形態とする）について説明する。
【００１９】
＜本技術の多機能携帯電話機の構成例＞
図１は、本技術を適用した多機能携帯電話機の外観の構成例を示す図である。
【００２０】
図１の例において、多機能携帯電話機１は、タッチパネル１０を備えるように構成されている。多機能携帯電話機１は、例えば、スマートフォンからなる。タッチパネル１０は、例えば、静電容量タッチセンサ２がマトリックス状に貼り付けられたLCD（liquid crystal display）で構成される。
【００２１】
なお、図１の例においては、多機能携帯電話機が示されているが、本技術は、電話機能をもたない多機能携帯端末にも適用される。
【００２２】
図２は、多機能携帯電話機の内部の構成例を示すブロック図である。
【００２３】
多機能携帯電話機１は、通信部１２、音声コーデック１３、カメラ部１６、画像処理部１７、記録再生部１９、記録部２０、タッチパネル１０（表示装置）、CPU（Central Processing Unit）２２を有している。これらは、バス２４を介して互いに接続されている。
【００２４】
また、通信部１２にはアンテナ１１が接続されており、音声コーデック１３には、スピーカ１４とマイクロホン１５が接続されている。さらに、CPU２２には、電源ボタンなどの操作部２３が接続されている。
【００２５】
多機能携帯電話機１は、通信モード、通話モード、撮影モードなどの各種のモードの処理を行う。
【００２６】
多機能携帯電話機１が通話モードの処理を行う場合、マイクロホン１５で生成されたアナログの音声信号が、音声コーデック１３に入力される。音声コーデック１３は、アナログの音声信号をデジタルの音声データへ変換し、変換後の音声データを圧縮して、通信部１２に供給する。通信部１２は、圧縮後の音声データの変調処理や周波数変換処理等を行い、送信信号を生成する。そして、通信部１２は、送信信号をアンテナ１１に供給し、図示しない基地局へ送信する。
【００２７】
通信部１２はまた、アンテナ１１で受信した受信信号の増幅、周波数変換処理、復調処理等を行うことにより、通話相手から送信されたデジタルの音声データを取得し、音声コーデック１３に供給する。音声コーデック１３は、音声データを伸張し、伸長後の音声データをアナログの音声信号へ変換して、スピーカ１４に出力する。
【００２８】
また、多機能携帯電話機１が通信モードの処理としてメール送信を行う場合、制御部２２は、ユーザがタッチパネル１０を操作することにより入力した文字を受け付け、その文字をタッチパネル１０に表示する。また、制御部２２は、ユーザがタッチパネル１０を操作することにより入力した指示等に基づいて、メールデータを生成し、通信部１２に供給する。通信部１２は、メールデータの変調処理や周波数変換処理等を行い、得られた送信信号をアンテナ１１から送信する。
【００２９】
通信部１２はまた、アンテナ１１で受信した受信信号の増幅、周波数変換処理、復調処理等を行い、メールデータを復元する。このメールデータは、タッチパネル１０に供給され、表示部２１に表示される。
【００３０】
なお、多機能携帯電話機１は、受信したメールデータを、記録再生部１９により記録部２０に記録させることも可能である。記録部２０は、RAM(Random Access Memory)や内蔵型フラッシュメモリ等の半導体メモリ、ハードディスク、磁気ディスク、光磁気ディスク、光ディスク、USB（Universal Serial Bus）メモリ、またはメモリカード等のリムーバブルメディアである。
【００３１】
多機能携帯電話機１が撮影モードの処理を行う場合、CPU２２は、撮影準備動作の開始指令を、カメラ部１６に供給する。カメラ部１６は、通常使用状態における多機能携帯電話機１の裏面（タッチパネル１０と対向する面）にレンズを有するバックカメラと、表面（タッチパネル１０が配置される面）にレンズを有するフロントカメラとからなる。バックカメラは、ユーザが自分以外の被写体を撮影するときに用いられ、フロントカメラは、ユーザが自分を被写体として撮影するときに用いられる。
【００３２】
カメラ部１６のバックカメラまたはフロントカメラは、CPU２２から供給される撮影準備動作の開始指令に応じて、ＡＦ（測距）動作、仮撮影などの撮影準備動作を行う。CPU２２は、ユーザがタッチパネル１０を操作することにより入力した撮影指令に応じて、撮影指令をカメラ部１６に供給する。カメラ部１６は、撮影指令に応じて、本撮影を行う。仮撮影や本撮影によって撮影された撮影画像は、タッチパネル１０に供給され、表示部２１に表示される。また、本撮影によって撮影された撮影画像は、画像処理部１７にも供給され、画像処理部１７において符号化される。符号化の結果生成される符号化データは、記録再生部１９に供給され、記録部２０に記録される。
【００３３】
タッチパネル１０は、LCDからなる表示部２１の上に、静電容量タッチセンサ２が積層されて構成されている。
【００３４】
多機能携帯電話機１は、ユーザの操作モードを、ユーザが多機能携帯電話機１を素手の指で操作する通常モードと、手袋をした指で操作する手袋モードとを有している。
【００３５】
CPU２２は、ユーザの操作による静電容量タッチセンサ２からの情報に応じて、通常モードと手袋モードとに操作モードを遷移させて、それぞれのモードの計算方法で、タッチ位置を計算することで、タッチ位置を判定する。
【００３６】
また、CPU２２は、ユーザにより操作部２３の電源ボタンが押下された場合、多機能携帯電話機１の電源をオンまたはオフにする。
【００３７】
CPU２２は、上述した処理を、例えば記録部２０に記録されているプログラムを実行することにより行う。このプログラムは、有線または無線の伝送媒体を介して、通信部１２で受信し、記録部２０にインストールすることができる。その他、プログラムは、記録部２０に、あらかじめインストールしておくことができる。
【００３８】
図３は、多機能携帯電話機１の機能ブロック図である。この機能は、CPU２２により例えば記録部２０に記録されているプログラムが実行されて行われる。
【００３９】
図３の機能ブロックは、静電容量計測部４１、タッチ位置判定部４２、モード判定部４３、および周期タイマ４４を含むように構成されている。
【００４０】
静電容量計測部４１は、静電容量タッチセンサ２からの各電極の値を計測し、計測した各電極の値を、モード判定部４３に供給する。
【００４１】
モード判定部４３は、各電極のいずれかが、通常モードの場合の閾値（以下、通常モード閾値とも称する）を超えているか否かを判定することで、ユーザの操作モードを遷移させる（切り替える）。すなわち、モード判定部４３は、各電極のいずれかが、通常モード閾値を超えている場合、かつ、現在手袋モードであった場合、ユーザの操作モードを、通常モードに遷移させる。
【００４２】
モード判定部４３は、各電極のいずれも、通常モード閾値を超えていない場合、かつ、現在通常モードであった場合、ユーザの操作モードを、手袋モードに遷移させる。なお、通常モード閾値を超えていない場合、さらに、通常モード閾値よりも低い値（低感度）である手袋モードの場合の閾値（以下、手袋モード閾値とも称する）を超える電極が、素手の指で触れるときより広い範囲の電極であるかを判定して、素手の指で触れるときより広い範囲の電極であると判定されたときに、ユーザの操作モードを、手袋モードに遷移させるようにしてもよい。
【００４３】
タッチ位置判定部４２は、ユーザの操作モードが通常モードである場合、静電容量タッチセンサ２からの各電極のON（通常モード閾値を超えた）/OFF（通常モード閾値を超えない）状況からタッチ位置を計算する。一方、タッチ位置判定部４２は、ユーザの操作モードが手袋モードである場合、静電容量タッチセンサ２からの各電極の感度粒度を０乃至２５５に変換して、タッチ位置を計算する。なお、図示は省略されているが、タッチ位置判定部４２により計算されたタッチ位置は、後段において、例えば、タッチ位置に対応する動作を判断する処理部に渡される。
【００４４】
周期タイマ４４は、多機能携帯電話機１内の時間をカウントしている。
【００４５】
＜通常モードの例＞
次に、図４を参照して、ユーザの操作モードが通常モードの場合のタッチ位置の計算について説明する。
【００４６】
図４Ａに示されるように、ユーザが素手５２でタッチパネル１０に触れて操作を行うと、触れた位置周辺の静電容量センサ２−１乃至２−４の各電極の値７１−１乃至７１−４のうち、静電容量センサ２−２および２−３の電極の値７１−２および７１−３が、通常モード閾値７２を超えて、ONであると判定される。タッチ位置判定部４２は、ONとであると判定された電極の数に基づく曲線７３を用いて、タッチ位置を計算する。
【００４７】
例えば、静電容量センサ２−１乃至２−４の位置がそれぞれ１乃至４である場合に、タッチ位置が、２と３であり、閾値超えのタッチ数が２であるとする。タッチ位置判定部４２は、２（タッチ位置）＋３（タッチ位置）／２（タッチ数）＝２．５として、静電容量センサ２−１の位置から２．５の位置がタッチ位置であると計算する。
【００４８】
次に、図４Ｂに示されるように、ユーザが手袋８１で、タッチパネル１０に触れて操作を行うと、低感度のため触れた位置周辺の静電容量センサ２−１乃至２−４の各電極の値７１−１乃至７１−４のいずれも、通常モード閾値７２を超えないため、OFFであり、タッチ位置判定部４２は、触れていないと判定してしまう。
【００４９】
これに対して、図４Ｃに示されるように、判定のための閾値を、通常モード閾値７２よりも小さい値（低感度）である通常モード閾値９１に下げる。この場合、ユーザが手袋８１で、タッチパネル１０に触れて操作を行うと、低感度で、触れた位置周辺の静電容量センサ２−１乃至２−４の各電極の値７１−１乃至７１−４のすべてが通常モード閾値９１を超えて、ONであると判定するが、タッチ位置範囲が広いため、位置判別が困難になってしまう。
【００５０】
＜手袋モードの例＞
次に、図５を参照して、ユーザの操作モードが手袋モードの場合のタッチ位置の計算について説明する。
【００５１】
ここで、図５Ａに示されるように、モード判定部４３は、通常モード閾値７２より低感度の手袋モード閾値１０１を有している。モード判定部４３は、電極の値が手袋モード閾値１０１を超える各静電容量センサ２−１乃至２−４の範囲が、素手の指で触れる場合の範囲よりも広い範囲であるかを判定し、素手の指で触れる場合の範囲よりも広い範囲であると判定された場合、ユーザの操作モードを、手袋モードに遷移させる。なお、周期タイマ４４の計測に基づき、素手の指で触れる場合の範囲よりも広い範囲である場合が、所定の時間が続いたときに、ユーザの操作モードを、手袋モードに遷移させるようにしてもよい。
【００５２】
手袋モードにおいては、図５Ｂに示されるように、タッチ位置判定部４２は、各静電容量センサ２−１乃至２−４の各値１０２−１乃至１０２−４の感度粒度を０乃至２５５に変換して、０乃至２５５の感度粒度の二次曲線１１１を計算し、二次曲線１１１の高い部分（ピーク）を見つけることで、タッチ位置を特定する。
【００５３】
例えば、静電容量センサ２−１乃至２−４の位置がそれぞれ１乃至４であるとして、静電容量センサ２−１の感度粒度１０２−１が２０、静電容量センサ２−２の感度粒度１０２−２が４０、静電容量センサ２−３の感度粒度１０２−３が８０、静電容量センサ２−４の感度粒度１０２−４が４０とする。この場合、タッチ位置判定部４２は、１（タッチ位置）×２０＋２（タッチ位置）×４０＋３（タッチ位置）×８０＋４（タッチ位置）×４０／１８０（閾値超えタッチ粒度の合計）＝静電容量センサ２−１の位置から、２．７７位置がタッチ位置であると計算する。
【００５４】
そして、再度、ユーザが素手５２でタッチパネル１０に触れて操作を行い、触れた位置周辺の静電容量センサ２−１乃至２−４の各電極の値７１−１乃至７１−４のうち、いずれかの電極の値（例えば、静電容量センサ２−２および２−３の電極の値７１−２および７１−３）が、通常モード閾値７２を超えたら、モード判定部４３は、ユーザの操作モードを、通常モードに遷移させる。
【００５５】
＜処理の例＞
次に、図６のフローチャートを参照して、多機能携帯電話機１の操作モード切り替え処理について説明する。
【００５６】
ユーザがタッチパネル１０を操作する。これに対応して、各静電容量タッチセンサ２は、ステップＳ１１において、電極の値の読み出しを行い、読み出した電極の値を、モード判定部４３に供給する。
【００５７】
モード判定部４３は、ステップＳ１２において、各電極の値のいずれかが通常モード閾値を超えているか否かを判定する。ステップＳ１２において、各電極の値のいずれかが通常モード閾値を超えていると判定された場合、処理は、ステップＳ１３に進む。
【００５８】
ステップＳ１３において、モード判定部４３は、現在、操作モードが、通常モードであるか否かを判定する。ステップＳ１３において、通常モードではないと判定された場合、処理は、ステップＳ１４に進む。ステップＳ１４において、モード判定部４３は、操作モードを、通常モードに遷移させ、処理は、ステップＳ１５に進む。ステップＳ１３において、通常モードであると判定された場合、ステップＳ１４はスキップされ、処理は、ステップＳ１５に進む。
【００５９】
ステップＳ１５において、タッチ位置判定部４２は、操作モードが通常モードであるので、各電極のON/OFF状況から、タッチ位置を計算する。タッチ位置判定部４２は、計算したタッチ位置を図示せぬ後段に渡し、その後、処理は、ステップＳ１１に戻る。
【００６０】
一方、ステップＳ１２において、各電極の値のいずれも通常モード閾値を超えていないと判定された場合、処理は、ステップＳ１６に進む。ステップＳ１６において、モード判定部４３は、現在、操作モードが、手袋モードであるか否かを判定する。ステップＳ１６において、手袋モードではないと判定された場合、処理は、ステップＳ１７に進む。
【００６１】
ステップＳ１７において、モード判定部４３は、指より広い範囲の電極が手袋モード閾値を超えたか否かを判定する。ステップＳ１７において、指より広い範囲の電極が手袋モード閾値を超えたと判定した場合、ステップＳ１８に進む。なお、このとき、図５Ａを参照して説明したように、周期タイマ４４の計測に基づき、所定の時間が続いた場合に、ステップＳ１８に進むようにしてもよい。
【００６２】
ステップＳ１８において、モード判定部４３は、操作モードを、手袋モードに遷移させ、処理は、ステップＳ１９に進む。
【００６３】
ステップＳ１６において、手袋モードではないと判定された場合、処理は、ステップＳ１９に進む。ステップＳ１９において、タッチ位置判定部４２は、操作モードが手袋モードであるので、各電極の値を、０乃至２５５の感度粒度に変換し、０乃至２５５の感度粒度の二次曲線から、タッチ位置を計算する。タッチ位置判定部４２は、計算したタッチ位置を、図示せぬ後段に渡し、その後、処理は、ステップＳ１１に戻る。
【００６４】
以上のように、本技術によれば、ユーザが手袋で操作する場合に、各電極の値を０乃至２５５の感度粒度に変換し、変換した感度粒度に基づいて、タッチ位置を計算するようにしたので、正確にタッチ位置を求めることができる。なお、各電極の感度粒度は、０乃至２５５に限定されず、粗くてもよいし、さらに細かくてもよい。
【００６５】
また、ユーザが手袋で操作する場合のタッチ位置の計算方法を用いるモードと、ユーザが素手で操作する場合の計算方法を用いるモードに切り替えるようにしたので、手動などで切り替える手間を省くことができる。
【００６６】
なお、上記説明においては、多機能携帯電話機や多機能携帯端末を例として説明してきたが、本技術は、使用時に手袋を用いることが多い、自動二輪車や自動車の操作パネル、スキー、スノーボードや、自転車を運転する際に使用されるゴーグルタイプの表示装置の操作パネルなどにも適用することができる。すなわち、使用時に手袋を用いることが多いことを行う場合に使用される操作パネルを有する装置であれば、特に限定されない。
【００６７】
また、手袋使用だけに限定されない。例えば、包帯だとか素手で操作を行うことのできない状況において、本技術は適用される。
【００６８】
＜パーソナルコンピュータ＞
上述した一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な汎用のパーソナルコンピュータなどが含まれる。
【００６９】
図７は、上述した一連の処理をプログラムにより実行するパーソナルコンピュータのハードウエアの構成例を示すブロック図である。
【００７０】
パーソナルコンピュータ２００において、CPU２０１、ROM（Read Only Memory）２０２、RAM（Random Access Memory）２０３は、バス２０４により相互に接続されている。
【００７１】
バス２０４には、さらに、入出力インタフェース２０５が接続されている。入出力インタフェース２０５には、入力部２０６、出力部２０７、記憶部２０８、通信部２０９、及びドライブ２１０が接続されている。
【００７２】
入力部２０６は、キーボード、マウス、マイクロホンなどよりなる。出力部２０７は、ディスプレイ、スピーカなどよりなる。記憶部２０８は、ハードディスクや不揮発性のメモリなどよりなる。通信部２０９は、ネットワークインタフェースなどよりなる。ドライブ２１０は、磁気ディスク、光ディスク、光磁気ディスク、又は半導体メモリなどのリムーバブルメディア２１１を駆動する。
【００７３】
以上のように構成されるパーソナルコンピュータ２００では、CPU２０１が、例えば、記憶部２０８に記憶されているプログラムを、入出力インタフェース２０５及びバス２０４を介して、RAM２０３にロードして実行する。これにより、上述した一連の処理が行われる。
【００７４】
コンピュータ（CPU２０１）が実行するプログラムは、リムーバブルメディア２１１に記録して提供することができる。リムーバブルメディア２１１は、例えば、磁気ディスク（フレキシブルディスクを含む）、光ディスク（CD-ROM(Compact Disc-Read Only Memory),DVD(Digital Versatile Disc)等）、光磁気ディスク、もしくは半導体メモリなどよりなるパッケージメディア等である。また、あるいは、プログラムは、ローカルエリアネットワーク、インターネット、デジタル衛星放送といった、有線または無線の伝送媒体を介して提供することができる。
【００７５】
コンピュータにおいて、プログラムは、リムーバブルメディア２１１をドライブ２１０に装着することにより、入出力インタフェース２０５を介して、記憶部２０８にインストールすることができる。また、プログラムは、有線または無線の伝送媒体を介して、通信部２０９で受信し、記憶部２０８にインストールすることができる。その他、プログラムは、ROM２０２や記憶部２０８に、あらかじめインストールしておくことができる。
【００７６】
なお、コンピュータが実行するプログラムは、本明細書で説明する順序に沿って時系列に処理が行われるプログラムであっても良いし、並列に、あるいは呼び出しが行われたとき等の必要な段階で処理が行われるプログラムであっても良い。
【００７７】
また、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【００７８】
また、本明細書において、システムとは、複数のデバイス（装置）により構成される装置全体を表すものである。
【００７９】
なお、本開示における実施の形態は、上述した実施の形態に限定されるものではなく、本開示の要旨を逸脱しない範囲において種々の変更が可能である。
【００８０】
例えば、本開示は、１つの機能を、ネットワークを介して複数の装置で分担、共同して処理するクラウドコンピューティングの構成をとることができる。
【００８１】
また、以上において、１つの装置（または処理部）として説明した構成を分割し、複数の装置（または処理部）として構成するようにしてもよい。逆に、以上において複数の装置（または処理部）として説明した構成をまとめて１つの装置（または処理部）として構成されるようにしてもよい。また、各装置（または各処理部）の構成に上述した以外の構成を付加するようにしてももちろんよい。さらに、システム全体としての構成や動作が実質的に同じであれば、ある装置（または処理部）の構成の一部を他の装置（または他の処理部）の構成に含めるようにしてもよい。つまり、本技術は、上述した実施の形態に限定されるものではなく、本技術の要旨を逸脱しない範囲において種々の変更が可能である。
【００８２】
以上、添付図面を参照しながら本開示の好適な実施形態について詳細に説明したが、開示はかかる例に限定されない。本開示の属する技術の分野における通常の知識を有するのであれば、特許請求の範囲に記載された技術的思想の範疇内において、各種の変更例また修正例に想到し得ることは明らかであり、これらについても、当然に本開示の技術的範囲に属するものと了解される。
【００８３】
なお、本技術は以下のような構成も取ることができる。
（１）  指でタッチされた場合に反応する電極の数に基づいて手袋での操作であるか素手での操作であるかを判定する操作判定部と、
前記操作判定部により手袋での操作であると判定された場合、所定の粒度に変換された１電極の感度に基づいてタッチ位置を検出するタッチ位置検出部と
を備える表示制御システム。
（２）  前記所定の粒度は、０乃至２５５の粒度である
前記（１）に記載の表示制御システム。
（３）  前記タッチ位置検出部は、所定の粒度に変換された１電極の感度の二次曲線の計算により、前記タッチ位置を検出する
前記（１）または（２）に記載の表示制御システム。
（４）  前記操作判定部は、第１の閾値を超えている電極があるか否かに基づいて手袋での操作であるか素手での操作であるかを判定する
前記（１）乃至（３）のいずれかに記載の表示制御システム。
（５）  前記第１の閾値を超えている電極があり、前記操作判定部により素手での操作であると判定された場合、前記タッチ位置検出部は、前記第１の閾値を超えている電極の数に基づいてタッチ位置を検出する
前記（４）に記載の表示制御システム。
（６）  前記第１の閾値を超えている電極がなかった場合、前記操作判定部は、前記第１の閾値よりも小さい値である第２の閾値を超えている電極の数が、指で触れるときに反応する電極の数よりも多いとき、手袋での操作であることを示す手袋モードに操作モードを切り替える
前記（４）に記載の表示制御システム。
（７）  前記第１の閾値を超えている電極があった場合、前記操作判定部は、素手での操作であることを示す素手モードに操作モードを切り替える
前記（４）に記載の表示制御システム。
（８）  表示制御システムが、
指でタッチされた場合に反応する電極の数に基づいて手袋での操作であるか素手での操作であるかを判定し、
前記手袋での操作であると判定された場合、所定の粒度に変換された１電極の感度に基づいてタッチ位置を検出する
操作方法。
【符号の説明】
【００８４】
１  多機能携帯電話機，  ２，２−１乃至２−４  静電容量タッチセンサ，  １０  タッチパネル，  １１  アンテナ，  １２  通信部，  １３  音声コーデック，  １４  スピーカ，  １５  マイクロホン，  １６  カメラ部，  １７  画像処理部，  １９  記録再生部，  ２０  記録部，  ２１  表示部，  ２２  ＣＰＵ，  ２３  操作部，  ４１  静電容量計測部，  ４２  タッチ位置判定部，  ４３  モード判定部，  ４４  周期タイマ
【図１】
2017146904.tif 000003
【図２】
2017146904.tif 000004
【図３】
2017146904.tif 000005
【図４】
2017146904.tif 000006
【図５】
2017146904.tif 000007
【図６】
2017146904.tif 000008
【図７】
2017146904.tif 000009